(57)【要約】本発明は、第１のプロトコルおよび第２のプロトコルと互換性のある基地局（ＢＳ）と網間接続している移動局（ＭＳ）であって、ＢＳと同期をとるための同期ユニットと、ＢＳから第１のプロトコルブロードキャスト情報を取得するためのブロードキャスト情報取得ユニットと、ＭＳが第１のプロトコルをサポートするか、または第２のプロトコルをサポートするかに従って、第１のオペレーションモードまたは第２のオペレーションモードを選択するための、オペレーションモード選択ユニットとを含み、ＭＳが第２のプロトコルをサポートするとき、第１のプロトコルブロードキャスト情報に従って、第２のプロトコルＭＡＰ情報が取得されて、第２のプロトコルＭＡＰ情報に従って、所定のチャネルを経由して、データがＢＳに送信される、移動局（ＭＳ）を提供する。また、本発明は、ＢＳと通信するためのＭＳネットワークエントリの方法、およびＩＥＥＥ８０２．１６ｅフレームと互換性のあるＩＥＥＥ８０２．１６ｍフレームを形成する方法も提供する。本発明によれば、ＩＥＥＥ８０２．１６ｅ  ＭＳは、ＩＥＥＥ８０２．１６ｍ  ＢＳにアクセスすることが可能であり、ＩＥＥＥ８０２．１６ｍ  ＭＳも、ＩＥＥＥ８０２．１６ｍ  ＢＳにアクセスすることが可能である。ＭＳとＢＳとが、異なるプロトコルに基づいて動作する場合でも、ＭＳは、ＢＳとの通信を実行するために、ネットワークに入ることが可能である。
2011514081.tif 000002
【特許請求の範囲】
【請求項１】
第１のプロトコルおよび第２のプロトコルと互換性のある基地局（ＢＳ）と網間接続している移動局（ＭＳ）であって、
前記ＢＳと同期をとるための同期ユニットと、
前記ＢＳから第１のプロトコルブロードキャスト情報を取得するためのブロードキャスト情報取得ユニットと、
前記ＭＳが前記第１のプロトコルをサポートするか、または前記第２のプロトコルをサポートするかに従って、第１のオペレーションモードまたは第２のオペレーションモードを選択するための、オペレーションモード選択ユニットとを含み、
前記ＭＳが、前記第２のプロトコルをサポートするとき、前記第１のプロトコルブロードキャスト情報に従って、第２のプロトコルＭＡＰ情報が取得されて、前記第２のプロトコルＭＡＰ情報に従って、所定のチャネルを経由して、データが前記ＢＳに送信される、移動局（ＭＳ）。 
【請求項２】
電力、タイミング、および周波数オフセットを調整するための測距ユニット
をさらに含む、請求項１に記載のＭＳ。
【請求項３】
前記第１のプロトコルがＩＥＥＥ８０２．１６ｅであり、前記第２のプロトコルがＩＥＥＥ８０２．１６ｍである、請求項１に記載のＭＳ。
【請求項４】
ＩＥＥＥ８０２．１６ｍフレームが、ＩＥＥＥ８０２．１６ｅフレーム内のプリアンブルを再使用する、請求項３に記載のＭＳ。
【請求項５】
前記ＩＥＥＥ８０２．１６ｍフレームが、ＩＥＥＥ８０２．１６ｅゾーンとＩＥＥＥ８０２．１６ｍゾーンとを含む、請求項４に記載のＭＳ。
【請求項６】
前記ＩＥＥＥ８０２．１６ｍゾーンが、ＴＴＧギャップおよびＲＴＧギャップが埋め込まれた状態で、複数のＤＬサブフレームとＵＬサブフレームとを含む、請求項５に記載のＭＳ。
【請求項７】
前記ＩＥＥＥ８０２．１６ｅ内のＦＣＨフィールドが、前記ＩＥＥＥ８０２．１６ｍゾーンのＩＥＥＥ８０２．１６ｍ  ＭＡＰを指すポインタを含む、請求項５に記載のＭＳ。
【請求項８】
拡張されたＭＡＰ  ＩＥまたはＤＣＤメッセージ／ＵＣＤメッセージが、前記ＩＥＥＥ８０２．１６ｍゾーンのＩＥＥＥ８０２．１６ｍ  ＭＡＰを指すポインタを含む、請求項５に記載のＭＳ。
【請求項９】
ＭＳが、ネットワークエントリと、第１のプロトコルおよび第２のプロトコルと互換性のあるＢＳとの通信とを実行するための方法であって、
前記ＭＳによって、前記ＢＳと同期をとるステップと、
前記ＭＳによって、前記ＢＳから第１のプロトコルブロードキャスト情報を取得するステップと、
前記ＭＳが前記第１のプロトコルをサポートするか、または前記第２のプロトコルをサポートするかに従って、前記ＭＳによって、第１のオペレーションモードまたは第２のオペレーションモードを選択するステップとを含み、
前記ＭＳが前記第２のプロトコルをサポートするとき、前記ＭＳが、前記第１のプロトコルブロードキャスト情報に従って、第２のプロトコルＭＡＰ情報を取得して、前記第２のプロトコルＭＡＰ情報に従って、所定のチャネルを経由して、データを前記ＢＳに送信する、方法。
【請求項１０】
前記第１のプロトコルブロードキャスト情報が取得された後に、測距ステップをさらに含む、請求項９に記載の方法。
【請求項１１】
前記第１のプロトコルがＩＥＥＥ８０２．１６ｅであり、前記第２のプロトコルがＩＥＥＥ８０２．１６ｍである、請求項９に記載の方法。
【請求項１２】
ＩＥＥＥ８０２．１６ｍフレームが、ＩＥＥＥ８０２．１６ｅフレーム内のプリアンブルを再使用する、請求項１１に記載の方法。
【請求項１３】
前記ＩＥＥＥ８０２．１６ｍフレームが、ＩＥＥＥ８０２．１６ｅゾーンとＩＥＥＥ８０２．１６ｍゾーンとを含む、請求項１２に記載の方法。
【請求項１４】
前記ＩＥＥＥ８０２．１６ｍゾーンが、ＴＴＧギャップおよびＲＴＧギャップが埋め込まれた状態で、複数のＤＬサブフレームとＵＬサブフレームとを含む、請求項１３に記載の方法。
【請求項１５】
前記ＩＥＥＥ８０２．１６ｅ内のＦＣＨフィールドが、前記ＩＥＥＥ８０２．１６ｍゾーンのＩＥＥＥ８０２．１６ｍ  ＭＡＰを指すポインタを含む、請求項１３に記載の方法。
【請求項１６】
拡張されたＭＡＰ  ＩＥまたはＤＣＤメッセージ／ＵＣＤメッセージが、前記ＩＥＥＥ８０２．１６ｍゾーンのＩＥＥＥ８０２．１６ｍ  ＭＡＰを指すポインタを含む、請求項１３に記載の方法。
【請求項１７】
ＩＥＥＥ８０２．１６ｅと互換性のあるＩＥＥＥ８０２．１６ｍフレームを形成する方法であって、
ＩＥＥＥ８０２．１６ｅフレーム内のプリアンブルを再使用するステップと、
ＩＥＥＥ８０２．１６ｅゾーンならびにＩＥＥＥ８０２．１６ｍゾーンを、それぞれ、アップリンクフレームおよびダウンリンクフレームに結合するステップと、
前記ダウンリンクフレームの前記ＩＥＥＥ８０２．１６ｅゾーンのＦＣＨ内に、前記ダウンリンクフレームの前記ＩＥＥＥ８０２．１６ｍゾーンのＩＥＥＥ８０２．１６ｍ  ＭＡＰを指すポインタを提供するステップとを含む、方法。
【発明の詳細な説明】
【技術分野】
【０００１】
本発明は、移動体通信の分野に関し、より詳細には、第１のプロトコルおよび第２のプロトコルと互換性のある基地局（ＢＳ）と網間接続するための移動局（ＭＳ）、ならびにＭＳネットワークエントリ（ｎｅｔｗｏｒｋ  ｅｎｔｒｙ）の方法に関する。
【背景技術】
【０００２】
近年、許可を受けた帯域内で動作するための高性能エアインターフェースを提供する目的で、ＩＥＥＥ８０２．１６無線ＭＡＮ−ＯＦＤＭＡ仕様書の標準修正のための新しいタスクグループ、ＩＥＥＥ８０２．１６ｍが設立されている。ＩＥＥＥ８０２．１６ｍは、次世代移動体ネットワークのセルラレイヤ（ｃｅｌｌｕｌａｒ  ｌａｙｅｒ）要件を満たす。ＩＥＥＥ８０２．１６ｍの目的は、ダウンリンクにおいて６．５ｂｐｓ／Ｈｚを上回るスペクトル効率を実現し、アップリンクにおいて２．８ｂｐｓ／Ｈｚを上回るスペクトル効率を実現する目的で、将来の最新サービスおよびアプリケーションをサポートするために必要なパフォーマンス改善を提供することである。
【０００３】
ＩＥＥＥ８０２．１６ｍ要件の重要な態様は、ＩＥＥＥ８０２．１６ｅのレガシーサポートにある。ＩＥＥＥ８０２．１６ｍは、ＭＳおよびＢＳを含めて、レガシーＩＥＥＥ８０２．１６ｅ無線ＭＡＮ−ＯＦＤＭＡ機器に継続的なサポートおよび相互運用性を提供すべきであることが求められる。詳細には、ＩＥＥＥ８０２．１６ｍで可能にされる機能およびプロトコル手順は、レガシーＩＥＥＥ８０２．１６ｅ機器によって用いられる特徴、機能、およびプロトコル手順をサポートすべきである。また、ＩＥＥＥ８０２．１６ｍは、ＩＥＥＥ８０２．１６ｅのレガシーサポートを停止する能力を提供すべきである。この継続的なサポートは、ＷｉＭＡＸ  Ｆｏｒｕｍ、Ｍｏｂｉｌｅ  Ｓｙｓｔｅｍ  Ｐｒｏｆｉｌｅ、Ｒｅｌｅａｓｅ１．０（Ｒｅｖｉｓｉｏｎ  １．４．０、２００７年５月２日、Ｒｅｆｅｒｅｎｃｅ［１］）によって捕捉された無線ＭＡＮ−ＯＦＤＭＡの特徴、機能、およびプロトコル手順の「調整されたサブセット」だけに限定されるべきである点に留意されたい。
【０００４】
以下は、詳細な後方互換性要件である。
ＩＥＥＥ８０２．１６ｍ  ＭＳは、レガシーＩＥＥＥ８０２．１６ｅ  ＭＳのパフォーマンスと同等のパフォーマンスレベルで、レガシーＢＳと動作することが可能であるべきである。
ＩＥＥＥ８０２．１６ｍベースのシステムおよび無線ＯＦＤＭＡリファレンスシステムは、同じチャネル帯域幅を用いて、同じＲＦキャリア上で動作することが可能であるべきであり、かつ異なるチャネル帯域幅を用いて、同じＲＦキャリア上で動作することも可能であるべきである。
ＩＥＥＥ８０２．１６ｍ  ＢＳは、ＩＥＥＥ８０２．１６ｍ  ＭＳとレガシーＩＥＥＥ８０２．１６ｅ  ＭＳの両方が同じＲＦキャリア上で動作しているとき、これらの混合物をサポートすべきである。かかる混合物のパフォーマンスは、ＢＳに属するＩＥＥＥ８０２．１６ｍ  ＭＳの一部を用いて改善されるべきである。
ＩＥＥＥ８０２．１６ｍ  ＢＳは、レガシーＩＥＥＥ８０２．１６ｅ  ＭＳとレガシーＩＥＥＥ８０２．１６ｅ  ＢＳとの間で継ぎ目のないハンドオーバーをサポートすべきである。
ＩＥＥＥ８０２．１６ｍ  ＢＳは、同じＲＦキャリア上で動作しているとき、レガシーＩＥＥＥ８０２．１６ｅ  ＢＳがレガシーＩＥＥＥ８０２．１６ｅ  ＭＳに提供するパフォーマンスと同等のパフォーマンスレベルで、ＩＥＥＥ８０２．１６ｍ  ＭＳもサポートすると同時に、レガシーＩＥＥＥ８０２．１６ｅ  ＭＳをサポートすることが可能であるべきである。
【０００５】
現在、「Ｄｒａｆｔ  ＩＥＥＥ８０２．１６ｍ  Ｒｅｑｕｉｒｅｍｅｎｔｓ」が発行されている。しかし、レガシーＩＥＥＥ８０２．１６ｅサポートのための完全な解決策は存在しない。
【先行技術文献】
【非特許文献】
【０００６】
【非特許文献１】ＷｉＭＡＸ  Ｆｏｒｕｍ、Ｍｏｂｉｌｅ  Ｓｙｓｔｅｍ  Ｐｒｏｆｉｌｅ、Ｒｅｌｅａｓｅ１．０（Ｒｅｖｉｓｉｏｎ  １．４．０、２００７年５月２日、Ｒｅｆｅｒｅｎｃｅ［１］）
【非特許文献２】Ｄｒａｆｔ  ＩＥＥＥ８０２．１６ｍ  Ｒｅｑｕｉｒｅｍｅｎｔｓ
【発明の概要】
【課題を解決するための手段】
【０００７】
時間同期および周波数同期の両方で重要な役割を果たすプリアンブルは、ＩＥＥＥ８０２．１６ｅにおいて慎重に設計されている。また、ＩＥＥＥ８０２．１６ｍシステムは、ＩＥＥＥ８０２．１６ｅ  ＭＳをサポートしなければならないため、（プリアンブルの何らかの周波数領域拡張が存在する可能性があるとしても）ＩＥＥＥ８０２．１６ｅプリアンブルは、ＩＥＥＥ８０２．１６ｍフレーム内に含まれることが必要とされる。ＩＥＥＥ８０２．１６ｍは、ＩＥＥＥ８０２．１６ｅで指定されたプリアンブルを再使用することになる。
【０００８】
ＩＥＥＥ８０２．１６ｍはプロトコルの独立したセットとして設計されることを目指すため、特定のゾーンがＩＥＥＥ８０２．１６ｍに割り当てられるべきである。したがって、ＩＥＥＥ８０２．１６ｍフレーム全体は、２つの部分、すなわち、ＩＥＥＥ８０２．１６ｅゾーンおよびＩＥＥＥ８０２．１６ｍゾーンに分割されることになる。ＩＥＥＥ８０２．１６ｅゾーンでは、伝統的なＩＥＥＥ８０２．１６ｅプロトコルが動作しており、一方、ＩＥＥＥ８０２．１６ｍゾーンでは、ＩＥＥＥ８０２．１６ｍのまったく新しいプロトコルが動作していることになる。ＩＥＥＥ８０２．１６ｍ  ＭＳにＩＥＥＥ８０２．１６ｍゾーンの存在を知らせるために、伝統的なＩＥＥＥ８０２．１６ｅブロードキャスティングチャネル内に何らかの特定の設計が存在しなければならない。
【０００９】
簡単な方法は、ＩＥＥＥ８０２．１６ｍ  ＭＡＰの位置がＩＥＥＥ８０２．１６ｍ  ＭＳによって識別され得るように、ＩＥＥＥ８０２．１６ｅブロードキャスティングメッセージ内に１つのフィールドを追加することである。これは、いくつかの措置によって実現され得る。すなわち、
ＩＥＥＥ８０２．１６ｅの伝統的なＦＣＨフィールド内で予約されたビットを使用すること、
ＩＥＥＥ８０２．１６ｅ内に何らかの新しい拡張ＭＡＰ  ＩＥを設計すること、かつ／または
ＩＥＥＥ８０２．１６ｅ  ＤＣＤ／ＵＣＤ（ダウンリンクチャネル記述／アップリンクチャネル記述）メッセージ内に１つのフィールド／複数のフィールドを加えることである。
【００１０】
本発明の第１の態様によれば、第１のプロトコルおよび第２のプロトコルと互換性のある基地局（ＢＳ）と網間接続している移動局（ＭＳ）であって、
ＢＳと同期をとるための同期ユニットと、
ＢＳから第１のプロトコルブロードキャスト情報を取得するためのブロードキャスト情報取得ユニットと、
ＭＳが第１のプロトコルをサポートするか、または第２のプロトコルをサポートするかに従って、第１のオペレーションモードまたは第２のオペレーションモードを選択するための、オペレーションモード選択ユニットとを含み、
ＭＳが第２のプロトコルをサポートするとき、第１のプロトコルブロードキャスト情報に従って、第２のプロトコルＭＡＰ情報が取得されて、第２のプロトコルＭＡＰ情報に従って、所定のチャネルを経由して、データがＢＳに送信される、移動局（ＭＳ）が提供される。
【００１１】
本発明の第２の態様によれば、ＭＳが、ネットワークエントリと、第１のプロトコルおよび第２のプロトコルと互換性のあるＢＳとの通信とを実行するための方法であって、
ＭＳによって、ＢＳと同期をとるステップと、
ＭＳによって、ＢＳから第１のプロトコルブロードキャスト情報を取得するステップと、
ＭＳが第１のプロトコルをサポートするか、または第２のプロトコルをサポートするかに従って、ＭＳによって、第１のオペレーションモードまたは第２のオペレーションモードを選択するステップとを含み、
ＭＳが第２のプロトコルをサポートするとき、ＭＳが、第１のプロトコルブロードキャスト情報に従って、第２のプロトコルＭＡＰ情報を取得して、第２のプロトコルＭＡＰ情報に従って、所定のチャネルを経由して、データをＢＳに送信する、方法が提供される。
【００１２】
本発明の第３の態様によれば、ＩＥＥＥ８０２．１６ｅと互換性のあるＩＥＥＥ８０２．１６ｍフレームを形成する方法であって、
ＩＥＥＥ８０２．１６ｅフレーム内のプリアンブルを再使用するステップと、
ＩＥＥＥ８０２．１６ｅゾーンならびにＩＥＥＥ８０２．１６ｍゾーンを、それぞれ、アップリンクフレームおよびダウンリンクフレームに結合するステップと、
ダウンリンクフレームのＩＥＥＥ８０２．１６ｅゾーンのＦＣＨ内に、ダウンリンクフレームのＩＥＥＥ８０２．１６ｍゾーンのＩＥＥＥ８０２．１６ｍ  ＭＡＰを指すポインタを提供するステップとを含む、方法が提供される。
【００１３】
本発明を特徴付けるこれらのおよび様々なその他の特徴ならびに利点は、以下の詳細な説明を読むことから、かつ関連する図面を参照することから明らかになるであろう。
【図面の簡単な説明】
【００１４】
【図１】本発明によるＩＥＥＥ８０２．１６ｍフレームの構造を示す概略ブロック図である。
【図２】ＩＥＥＥ８０２．１６ｅフレーム内のＦＣＨフォーマットを示す図である。
【図３】本発明による、ＭＳが、第１のプロトコルおよび第２のプロトコルと互換性のあるＢＳと通信するための概略ブロック図を示す図である。
【図４】本発明によるＭＳネットワークエントリの流れ図である。
【発明を実施するための形態】
【００１５】
以下で、本発明の好ましい実施形態が、添付図面を参照して説明される。本発明の以下の説明では、本明細書に組み込まれている、知られている機能および構成の詳細な説明は、本発明の主題をむしろあいまいにする可能性があるとき、省略される。
【００１６】
レガシーサポート要件によれば、ＩＥＥＥ８０２．１６ｅ  ＭＳは、ＩＥＥＥ８０２．１６ｍ  ＢＳにアクセスすることが可能であるべきであり、ＩＥＥＥ８０２．１６ｍ  ＭＳは、ＩＥＥＥ８０２．１６ｅ  ＢＳにアクセスすることも可能であるべきである。本発明は、レガシーＩＥＥＥ８０２．１６ｅプロトコルを使用するデバイスにサポートを提供するＩＥＥＥ８０２．１６ｍプロトコルの解決策を提案する。この解決策によって、ＭＳがＩＥＥＥ８０２．１６ｅ  ＭＳであろうと、ＩＥＥＥ８０２．１６ｍ  ＭＳであろうと、ＭＳは、ＩＥＥＥ８０２．１６ｅ  ＢＳおよびＩＥＥＥ８０２．１６ｍ  ＢＳの両方と通信することが可能である。したがって、ＩＥＥＥ８０２．１６ｍ  ＢＳおよびＩＥＥＥ８０２．１６ｍ  ＭＳは、すべてのＩＥＥＥ８０２．１６ｅ特徴に対する十分なサポートを有するべきである。コストを削減するために、ＩＥＥＥ８０２．１６ｅ特徴の一部は、ＩＥＥＥ８０２．１６ｍ標準において再使用されることになる。
【００１７】
まず、本発明によるＩＥＥＥ８０２．１６ｍフレームの構造を紹介するために図１を参照する。
【００１８】
本発明は、ＩＥＥＥ８０２．１６ｅフレームのプリアンブルを再使用する。ＩＥＥＥ８０２．１６ｅフレームと互換性のあるＩＥＥＥ８０２．１６ｍフレームを形成する方法は、（１）ＩＥＥＥ８０２．１６ｅフレーム内のプリアンブルを再使用するステップと、（２）８０２．１６ｅゾーンならびに８０２．１６ｍゾーンを、それぞれ、アップリンクサブフレームおよびダウンリンクサブフレームに結合するステップと、（３）ダウンリンクサブフレームの８０２．１６ｅゾーン内のＦＣＨフィールド内に、ダウンリンクサブフレームの８０２．１６ｍゾーン内の８０２．１６ｍ  ＭＡＰを指すポインタを設定するステップとを含む。図１を参照すると、ＩＥＥＥ８０２．１６ｍフレームは、保護スロットＴＴＧ（Ｔｘ／Ｒｘ遷移ギャップ（Ｔｒａｎｓｉｔｉｏｎ  Ｇａｐ））が埋め込まれた状態で、ダウンリンクサブフレームおよびアップリンクサブフレームに分割される。アップリンクサブフレームとダウンリンクサブフレームとの間の保護スロットは、ＲＴＧ（Ｒｘ／Ｔｘ遷移ギャップ）である。ダウンリンクサブフレームは、２つのゾーン、すなわち、１６ｅゾーンおよび１６ｍゾーンに分割される。１６ｅゾーン内で、伝統的なＩＥＥＥ８０２．１６ｅプロトコルが動作しており、一方、ＩＥＥＥ８０２．１６ｍのまったく新しいプロトコルは、１６ｍゾーン内で動作されることになる。アップリンクサブフレームも、２つのゾーン、すなわち、１６ｅゾーンおよび１６ｍゾーンに分割される。
【００１９】
次に、ダウンリンクサブフレームを参照して、ＩＥＥＥ８０２．１６ｍフレームが説明される。１６ｅゾーンは、プリアンブルと、ＦＣＨと、ＤＬ  ＭＡＰ／ＵＬ  ＭＡＰと、レガシーＤＬデータゾーンとを含む。プリアンブルは同期のために使用され、フレーム制御ヘッダ（ＦＣＨ）は、ＤＬ＿ＭＡＰ（ダウンリンクマップ）およびＵＬ＿ＭＡＰ（アップリンクマップ）の長さ、符号化方式、および使用されるサブチャネルなど、現在のフレームの制御情報を含む。ＤＬ＿ＭＡＰおよびＵＬ＿ＭＡＰは、ダウンリンクサブフレーム内およびアップリンクサブフレーム内の詳細情報を指定する。
【００２０】
１６ｍゾーンは、ＩＥＥＥ８０２．１６ｍＭＡＰとＩＥＥＥ８０２．１６ｍゾーンとを含む。それぞれのＭＳに割り当てられた利用可能なソースは、ＩＥＥＥ８０２．１６ｍゾーン内で指定される。あるいは、ＩＥＥＥ８０２．１６ｍゾーンは、（ＴＴＧギャップおよびＲＴＧギャップが埋め込まれた状態で）短いＤＬサブフレームおよびＵＬサブフレームに分割され得る。したがって、ＭＳとＢＳとの間の送信の応答時間はより早くなる。しかし、この手法の場合、ＴＴＧ／ＲＴＧオーバヘッドは過剰な可能性がある。
【００２１】
ＩＥＥＥ８０２．１６ｅ内のＦＣＨフィールド内で、予約されたビットは、ＩＥＥＥ８０２．１６ｍ  ＭＡＰを指すポインタとして使用されることになる。このＩＥＥＥ８０２．１６ｍ  ＭＡＰは、ＩＥＥＥ８０２．１６ｍによって占有された詳細な周波数時間リソースによって画定されることになる。図２は、ＩＥＥＥ８０２．１６ｅフレーム内のＦＣＨフォーマットを示す。ＤＬ＿ＭＡＰ＿Ｌｅｎｇｔｈフィールドの後に、４ビットが予約される。本発明では、これらの４つの予約されたビットは、ＩＥＥＥ８０２．１６ｍ  ＭＡＰを指すポインタ内で画定される。あるいは、これらの４つの予約されたビットは、１６ｍサポート機能のラベルとして使用されることも可能である。
【００２２】
本発明は、ＩＥＥＥ８０２．１６ｍ  ＭＡＰを指すために、ＩＥＥＥ８０２．１６ｅ内のＦＣＨフィールドを使用するが、ＩＥＥＥ８０２．１６ｍ  ＭＡＰは、ＩＥＥＥ８０２．１６ｅの何らかの新しい拡張ＭＡＰ  ＩＥ（情報要素）を使用することによって、またはＤＣＤメッセージ／ＵＣＤメッセージ内に１つのフィールド／複数のフィールドを追加することによって画定され得る。加えて、画定された１６ｍゾーンは、同じ帯域幅を有する伝統的な１６ｅフレームの単なる一部であってよく、またはそれよりもずっと大きな帯域幅を占有してもよい。１６ｍゾーンでは、何らかの特に新しく設計されたパイロットは、システムが必要な同期およびチャネル推定を実行するのを支援することになる。
【００２３】
このフレーム形態では、測距（ｒａｎｇｉｎｇ）手順を含めて、すべてのＩＥＥＥ８０２．１６ｅネットワークエントリプロセスは、ＩＥＥＥ８０２．１６ｍプロトコル設計の自由を損なわずに、再使用され得る。また、レガシーＩＥＥＥ８０２．１６ｅデバイスは、何の変更もせずに完全に互換性がある。２本の送信アンテナを有するＩＥＥＥ８０２．１６ｍ  ＢＳの場合、これらの２本のアンテナは、ＩＥＥＥ８０２．１６ｅゾーン内で同じコンテンツを送信することになり、ＩＥＥＥ８０２．１６ｍゾーン内でＭＩＭＯ技術が適用されることが可能である。
【００２４】
ＩＥＥＥ８０２．１６ｍフレームは、本発明において、ＩＥＥＥ８０２．１６ｅフレームの拡張として使用されるため、ＭＳとＢＳとが異なるプロトコルに基づいて協動する場合でも、ＭＳは、ネットワークに入り、ＢＳと通信を実行することが可能である。すなわち、ＩＥＥＥ８０２．１６ｅ  ＭＳは、ＩＥＥＥ８０２．１６ｍ  ＢＳにアクセスすることが可能であり、ＩＥＥＥ８０２．１６ｍ  ＭＳも、ＩＥＥＥ８０２．１６ｍ  ＢＳにアクセスすることが可能である。
【００２５】
図３は、本発明によるＭＳの概略ブロック図を示す。ＭＳは、ＩＥＥＥ８０２．１６ｍ  ＭＳであっても、またはＩＥＥＥ８０２．１６ｅ  ＭＳであってもよく、ＭＳが入ることになるネットワークのＢＳは、ＩＥＥＥ８０２．１６ｍをサポートする。
【００２６】
図３を参照すると、ＭＳは、ＢＳからデータを受信するための受信ユニット（図示せず）と、データをＢＳに送信するための送信ユニット（図示せず）と、ＢＳとの同期を実行するために、チャネルを走査して、プリアンブルを探索するための同期ユニット３０２と、ＢＳからＩＥＥＥ８０２．１６ｅブロードキャスティング情報を獲得するブロードキャスティング情報獲得ユニット３０３と、測距によって、ＭＳの電力、時間遅延、および周波数シフトの調整を実行する測距ユニット３０４と、ＭＳがサポートするプロトコルに従って、ＩＥＥＥ８０２．１６ｅモードまたはＩＥＥＥ８０２．１６ｍモードを選択するオペレーションモード選択ユニット３０５とを含み、ＭＳがＩＥＥＥ８０２．１６ｍプロトコルをサポートするとき、１６ｍ  ＭＡＰ情報は、ＢＳからのＩＥＥＥ８０２．１６ｅブロードキャスティング情報から取得される。図３は、ＭＳが測距ユニット３０４を含むことを示すが、ＭＳはかかるユニットを含まなくてもよい。
【００２７】
次に、図３および４を参照して、ＭＳネットワークエントリ方法が例示される。図４を参照すると、ステップ４１において、ＭＳは電気供給される。ステップ４２において、同期ユニット３０２は、チャネル走査およびプリアンブル探索を実行する。ステップ４３において、同期ユニット３０２は、探索されたプリアンブル内の同期シーケンスに従って、ＢＳと時間同期および周波数同期を実行する。その後、ステップ４４において、ブロードキャスティング情報獲得ユニット３０３は、ＩＥＥＥ８０２．１６ｅブロードキャスティング情報をＢＳから獲得する。測距が必要な場合、ステップ４５において、測距ユニット３０４は、ＭＳの電力、時間遅延、および周波数シフトの調整に関する測距手順を実行する。ステップ４６において、ＭＳのオペレーションモード選択ユニット３０５は、それ自体によって採用されたオペレーションプロトコルに従って、ＩＥＥＥ８０２．１６ｍがサポートされるかどうかを決定する。ＭＳがＩＥＥＥ８０２．１６ｍをサポートする場合、ステップ４８において、ＭＳは、ＭＳによってＢＳから取得されたブロードキャスティング情報内に含まれたＦＣＨ内のポインタからＩＥＥＥ８０２．１６ｍ  ＭＡＰを取得し、ステップ４９において、ＭＳは、ＩＥＥＥ８０２．１６ｍモードに基づいて動作して、ＩＥＥＥ８０２．１６ｍフレーム内の１６ｍゾーン内でバーストを使用することによって、データをＢＳに送信する。そうでない場合、ステップ４７において、ＭＳは、ＩＥＥＥ８０２．１６ｍフレーム内の１６ｅゾーン内でＤＬ  ＭＡＰ／ＵＬ  ＭＡＰを取得し、したがって、ＭＳは、ＩＥＥＥ８０２．１６ｅモードに基づいて動作して、ＩＥＥＥ８０２．１６ｍフレーム内で画定されたバースト（レガシーＤＬデータゾーン）を使用することによって、データをＢＳに送る。
【００２８】
本発明の特定の実施形態およびアプリケーションが例示され、説明されているが、本発明は、本明細書で開示された記述に限定されない点を理解されたい。本発明の趣旨および範囲から逸脱せずに、様々な修正形態、変更形態、および改変形態が、本明細書で開示された本発明に行われ得る点は、当業者によって明らかであろう。
【図１】
2011514081.tif 000003
【図２】
2011514081.tif 000004
【図３】
2011514081.tif 000005
【図４】
2011514081.tif 000006
【国際調査報告】
2011514081.tif 000007
2011514081.tif 000008
2011514081.tif 000009
2011514081.tif 000010